(57)【要約】【課題】映像表示手段と音声出力手段とを有する本体を備える表示装置において、簡易な構成でユーザの視聴位置における音声特性を向上させることを課題とする。【解決手段】本体１０の外部において持ち運び可能とされて運ばれた位置における基準音声ＳＡ２の周波数特性ＣＨ１を検出する周波数特性検出手段２２と、検出された周波数特性ＣＨ１を表す周波数特性信号ＳＩ２を本体１０へ送信する送信手段２３とを表示装置１に設け、本体１０に周波数特性信号ＳＩ２を受信する受信手段１５を設け、音声出力手段１３から基準音声ＳＡ２を出力させ、受信手段１５で受信された周波数特性信号ＳＩ２で表される基準音声ＳＡ２の周波数特性ＣＨ１を所定の周波数特性ＣＨ２に近づけるように音声出力手段１３からの出力音声ＳＡ１の周波数特性ＣＨ３を補正する。【選択図】図９
2010245986.tif 000002
【特許請求の範囲】
【請求項１】
映像を表示する映像表示手段と、音声を出力する音声出力手段と、映像表示及び音声出力を制御する制御手段とを有する本体を備える表示装置において、
前記本体の外部において持ち運び可能とされ、運ばれた位置における基準音声の周波数特性を検出する周波数特性検出手段と、
検出された周波数特性を表す周波数特性信号を前記本体へ送信する送信手段とを備え、
前記本体には、前記周波数特性信号を受信する受信手段が設けられ、
前記制御手段は、前記音声出力手段から前記基準音声を出力させ、前記受信手段で受信された周波数特性信号で表される基準音声の周波数特性を所定の周波数特性に近づけるように前記音声出力手段からの出力音声の周波数特性を補正することを特徴とする表示装置。
【請求項２】
前記本体には、前記出力音声の周波数特性を補正するための周波数特性補正情報を複数記憶可能な記憶領域が設けられ、
前記制御手段は、
前記音声出力手段から前記基準音声を出力させ、前記受信手段で受信された周波数特性信号で表される基準音声の周波数特性を前記所定の周波数特性に近づけるように前記周波数特性補正情報を生成し、前記記憶領域に前記生成した周波数特性補正情報を記憶し、該記憶した周波数特性補正情報に従って前記出力音声の周波数特性を補正可能であるとともに、
前記記憶領域に記憶されている前記周波数特性補正情報の中から前記出力音声の周波数特性を補正する周波数特性補正情報を選択するための入力を受け付け、選択された周波数特性補正情報に従って前記出力音声の周波数特性を補正することを特徴とする請求項１に記載の表示装置。
【請求項３】
前記制御手段は、前記記憶領域に記憶されている前記周波数特性補正情報の少なくとも一部の周波数特性補正情報で表される補正量を平均し、該平均した補正量に従って前記出力音声の周波数特性を補正することを特徴とする請求項２に記載の表示装置。
【請求項４】
前記音声出力手段は、前記本体に対して異なる位置に設けられた複数のスピーカを有し、
前記制御手段は、各スピーカから異なる周波数の基準音声を出力させ、
前記周波数特性検出手段は、運ばれた位置における前記基準音声の周波数特性を所定間隔のタイミングで繰り返し検出し、
前記制御手段は、前記受信手段で受信された周波数特性信号に基づいて前記運ばれた位置における前記各スピーカからの基準音声の到達時刻の差を少なくさせるように前記各スピーカからの音声出力のタイミングを調整することを特徴とする請求項１〜請求項３のいずれか一項に記載の表示装置。
【請求項５】
前記本体には、前記各スピーカからの音声出力のタイミングを調整するための出力タイミング調整情報を複数記憶可能な出力タイミング調整情報記憶領域が設けられ、
前記制御手段は、
前記各スピーカから前記異なる周波数の基準音声を出力させ、前記受信手段で受信された周波数特性信号に基づいて前記運ばれた位置における前記各スピーカからの基準音声の到達時刻の差を少なくさせるように前記出力タイミング調整情報を生成し、前記出力タイミング調整情報記憶領域に前記生成した出力タイミング調整情報を記憶し、該記憶した出力タイミング調整情報に従って前記各スピーカからの音声出力のタイミングを調整可能であるとともに、
前記出力タイミング調整情報記憶領域に記憶されている前記出力タイミング調整情報の中から前記音声出力のタイミングを調整する出力タイミング調整情報を選択するための入力を受け付け、選択された出力タイミング調整情報に従って前記各スピーカからの音声出力のタイミングを調整することを特徴とする請求項４に記載の表示装置。
【請求項６】
前記制御手段は、前記出力タイミング調整情報記憶領域に記憶されている前記出力タイミング調整情報の少なくとも一部の出力タイミング調整情報で表される調整量を平均し、該平均した調整量に従って前記各スピーカからの音声出力のタイミングを調整することを特徴とする請求項５に記載の表示装置。
【請求項７】
前記周波数特性検出手段と前記送信手段とが持ち運び可能なリモートコントロール装置に設けられ、
前記周波数特性検出手段は、マイクロホンと、該マイクロホンで検出された音声の周波数特性を検出する周波数特性検出回路とを有し、
前記送信手段は、前記本体との間で無線信号を送受信可能なリモコン側送受信装置とされ、
前記受信手段は、前記リモコン側送受信装置との間で無線信号を送受信可能な本体側送受信装置とされ、
前記リモートコントロール装置は、操作入力を受け付ける操作入力手段を有し、前記出力音声の周波数特性を補正するための操作入力を受け付けると、前記基準音声の出力要求を前記リモコン側送受信装置から前記本体へ無線送信し、
前記制御手段は、前記本体側送受信装置で前記出力要求が受信されると、前記音声出力手段から前記基準音声を出力させ、
前記リモートコントロール装置は、前記周波数特性検出手段で前記運ばれた位置における前記基準音声の周波数特性を検出し、検出した周波数特性を表す周波数特性信号を前記リモコン側送受信装置から前記本体へ無線送信し、
前記制御手段は、前記本体側送受信装置で受信された周波数特性信号で表される音声の周波数特性を前記所定の周波数特性に近づけるように前記音声出力手段からの出力音声の周波数特性を補正することを特徴とする請求項１〜請求項６のいずれか一項に記載の表示装置。
【請求項８】
映像を表示する映像表示手段と、音声を出力する音声出力手段と、映像表示及び音声出力を制御する制御手段とを有する本体を備える表示装置の制御方法において、
前記制御手段で前記音声出力手段から基準音声を出力させる制御を行い、
前記本体の外部において持ち運び可能とされた周波数特性検出手段の運ばれた位置における前記基準音声の周波数特性を該周波数特性検出手段で検出し、
検出した周波数特性を表す周波数特性信号を前記本体へ送信し、
前記本体に設けられた受信手段で前記周波数特性信号を受信し、
前記受信された周波数特性信号で表される基準音声の周波数特性を所定の周波数特性に近づけるように前記音声出力手段からの出力音声の周波数特性を補正する制御を前記制御手段で行うことを特徴とする表示装置の制御方法。
【請求項９】
映像を表示する映像表示手段と、音声を出力する音声出力手段とを有する本体と、前記本体の外部において持ち運び可能とされて運ばれた位置における基準音声の周波数特性を検出する周波数特性検出手段と、検出された周波数特性を表す周波数特性信号を前記本体へ送信する送信手段とを備え、前記周波数特性信号を受信する受信手段が前記本体に設けられた表示装置の制御プログラムにおいて、
前記音声出力手段から前記基準音声を出力させる制御を行う機能と、
前記受信手段で受信された周波数特性信号で表される基準音声の周波数特性を所定の周波数特性に近づけるように前記音声出力手段からの出力音声の周波数特性を補正する制御を前記本体で行う機能とをコンピュータに実現させることを特徴とする表示装置の制御プログラム。
【請求項１０】
前面（１１ａ）に開口（１１ｂ）を有するキャビネット（１１）と、前記開口（１１ｂ）から映像（Ｖ１）を表示する映像表示手段（１２）と、音声（ＳＡ１）を出力する複数のスピーカ（１３７，１３８）と、前記キャビネット（１１）に収容され映像表示及び音声出力を制御する制御手段（１４）とを有する本体（１０）と、操作入力を受け付ける操作ボタン（２４）を有して前記キャビネット（１１）の外部において持ち運び可能とされたリモートコントロール装置（２０）とを備えるテレビジョン（１）において、
前記リモートコントロール装置（２０）は、
マイクロホン（２２１）と、
運ばれた位置において前記マイクロホン（２２１）で検出された基準音声（ＳＡ２）の周波数特性（ＣＨ１）を検出する周波数特性検出回路（２２２）と、
前記本体（１０）との間で赤外線信号（ＳＩ１）を送受信可能であり、前記周波数特性検出回路（２２２）で検出された周波数特性を表す赤外線の周波数特性信号（ＳＩ２）を前記本体（１０）へ送信するリモコン側送受信装置（２３）とを有し、
前記本体（１０）には、
前記リモコン側送受信装置（２３）との間で赤外線信号（ＳＩ１）を送受信可能であり、前記周波数特性信号（ＳＩ２）を受信する本体側送受信装置（１５）が設けられ、
さらに、前記出力音声（ＳＡ１）の周波数特性（ＣＨ３）を補正するための複数の周波数特性補正情報（Ｉ１）、及び、前記各スピーカ（１３７，１３８）からの音声出力のタイミングを調整するための複数の出力タイミング調整情報（Ｉ２）を記憶可能な記憶領域（Ｒ１）が設けられ、
前記リモートコントロール装置（２０）は、前記記憶領域（Ｒ１）の中から前記周波数特性補正情報（Ｉ１）及び前記出力タイミング調整情報（Ｉ２）を記憶する場所を選択するための操作入力を受け付けると、選択された場所を表す第一の選択信号（ＳＩ１１）を前記リモコン側送受信装置（２３）から前記本体（１０）へ赤外線信号（ＳＩ１）により送信し、前記各スピーカ（１３７，１３８）から異なる周波数の基準音声（ＳＡ２）が出力されているときに前記周波数特性検出回路（２２２）で検出された周波数特性（ＣＨ１）を所定間隔のタイミングで繰り返し取得して該繰り返し取得した周波数特性（ＣＨ１）を表す赤外線の周波数特性信号（ＳＩ２）を前記本体（１０）へ送信し、
前記制御手段（１４）は、
前記本体側送受信装置（１５）で前記第一の選択信号（ＳＩ１１）が受信されると、
前記複数のスピーカ（１３７，１３８）から前記基準音声（ＳＡ２）を出力させ、前記本体側送受信装置（１５）で受信された周波数特性信号（ＳＩ２）で表される基準音声（ＳＡ２）の周波数特性（ＣＨ１）を所定の周波数特性（ＣＨ２）に近づけるように前記周波数特性補正情報（Ｉ１）を生成し、前記選択された場所の記憶領域（Ｒ１）に前記生成した周波数特性補正情報（Ｉ１）を記憶し、該記憶した周波数特性補正情報（Ｉ１）に従って前記出力音声（ＳＡ１）の周波数特性（ＣＨ３）を補正し、
さらに、前記各スピーカ（１３７，１３８）から異なる周波数の基準音声（ＳＡ２）を出力させ、前記本体側送受信装置（１５）で受信された周波数特性信号（ＳＩ２）に基づいて前記運ばれた位置における前記各スピーカ（１３７，１３８）からの基準音声（ＳＡ２）の到達時刻の差を少なくさせるように前記出力タイミング調整情報（Ｉ２）を生成し、前記選択された場所の記憶領域（Ｒ１）に前記生成した出力タイミング調整情報（Ｉ２）を記憶し、該記憶した出力タイミング調整情報（Ｉ２）に従って前記各スピーカ（１３７，１３８）からの音声出力のタイミングを調整し、
前記リモートコントロール装置（２０）は、前記記憶領域（Ｒ１）に記憶されている前記周波数特性補正情報（Ｉ１）及び前記出力タイミング調整情報（Ｉ２）の組み合わせの中から前記出力音声（ＳＡ１）の周波数特性（ＣＨ３）の補正及び前記各スピーカ（１３７，１３８）からの音声出力のタイミング調整に用いる組み合わせを選択するための操作入力を受け付けると、選択された組み合わせを表す第二の選択信号（ＳＩ１２）を前記リモコン側送受信装置（２３）から前記本体（１０）へ赤外線信号（ＳＩ１）により送信し、
前記制御手段（１４）は、
前記本体側送受信装置（１５）で前記第二の選択信号（ＳＩ１２）が受信されると、
選択された組み合わせの周波数特性補正情報（Ｉ１）に従って前記出力音声（ＳＡ１）の周波数特性（ＣＨ３）を補正し、
さらに、選択された組み合わせの出力タイミング調整情報（Ｉ２）に従って前記各スピーカ（１３７，１３８）の音声出力のタイミングを調整し、
前記リモートコントロール装置（２０）は、前記記憶領域（Ｒ１）に記憶されている前記周波数特性補正情報（Ｉ１）及び前記出力タイミング調整情報（Ｉ２）の組み合わせの中から補正量及び調整量を平均する組み合わせを選択するための操作入力を受け付けると、選択された組み合わせを表す第三の選択信号（ＳＩ１３）を前記リモコン側送受信装置（２３）から前記本体（１０）へ赤外線信号（ＳＩ１）により送信し、
前記制御手段（１４）は、
前記本体側送受信装置（１５）で前記第三の選択信号（ＳＩ１３）が受信されると、
選択された組み合わせの周波数特性補正情報（Ｉ１）で表される補正量を平均し、該平均した補正量に従って前記出力音声（ＳＡ１）の周波数特性（ＣＨ３）を補正し、
選択された組み合わせの出力タイミング調整情報（Ｉ２）で表される調整量を平均し、該平均した調整量に従って前記各スピーカ（１３７，１３８）からの音声出力のタイミングを調整することを特徴とするテレビジョン（１）。
【発明の詳細な説明】
【技術分野】
【０００１】
本発明は、映像表示手段と音声出力手段とを有する本体を備える表示装置、その制御方法及び制御プログラム、並びに、テレビジョンに関する。
【背景技術】
【０００２】
近年、液晶テレビジョン等の薄型テレビジョンは、前面に対して映像表示面がなるべく広くなるように設けられている。このため、後方や下方に向かって音声を出力するようにスピーカが薄型テレビジョンに配置されてきている。
【０００３】
また、特許文献１に記載されるように、マイクを有するリモコンを用いたテレビ視聴システムが知られている。このリモコンは、テレビ本体からの音をマイクから入力し、入力した音の音量を測定し、音量測定結果と基準音量値との差を求め、求めた差が所定の閾値を超えると、求めた差が閾値内になるように遠隔操作による音量の設定値を変更する。これら一連の処理は、リモコンで行われる。
【０００４】
特許文献２には、携帯電話にリモートコントロール機能を持たせることが記載されている。この携帯電話は、マイクと赤外線発光ユニットを有し、マイクにテレビからの音声信号を入力し、入力した音声信号に応じてテレビの音量を最適に調整するための赤外線信号を赤外線発光ユニットからテレビに向けて発光し、テレビの音量を調整する。これら一連の処理は、携帯電話で行われる。
【０００５】
特許文献３には、テレビ受像機を遠隔制御するリモコン送信機の位置において聞こえる音量レベルを常に一定に調整することが記載されている。リモコン送信機は、マイクロホンとＲＡＭを有し、マイクロホンで音量レベルを測定し、測定した音量レベルを数値化し、音量レベル記憶スイッチがオンである場合に前記数値化した音量レベルをＲＡＭに記憶する。また、リモコン送信機は、音量レベル記憶スイッチがオフである場合、マイクロホンで測定した音量レベルを数値化し、数値化した音量レベルとＲＡＭに記憶されている音量レベルとを比較し、リモコン送信機の位置における音量レベルが予め記憶設定されていた音量レベルと等しくなるようにテレビ受像機の音量を増減させる。これら一連の処理は、リモコン送信機で行われる。
【先行技術文献】
【特許文献】
【０００６】
【特許文献１】特開２００３−３０４５９０号公報
【特許文献２】特開２００４−２３４２３号公報
【特許文献３】特開平５−２４４６６３号公報
【特許文献４】特開２００１−３５２６００号公報
【発明の概要】
【発明が解決しようとする課題】
【０００７】
近年の薄型テレビジョンは、設置された環境、例えば、床や壁の材質、床や壁の形状、床や壁との距離、等によって音声特性の変化が顕著になっている。この音声特性は、ユーザの視聴位置によって変わる。特に、最近の傾向としてスピーカがテレビジョンセットの下方又は背面に向けて配置されており、これにより音声特性の変化が一層顕著となっている。
特許文献１〜３の技術は、リモートコントロール装置からテレビジョン本体の音量全体を調整するものであり、音声特性を調整することができない。
【０００８】
なお、特許文献４記載の技術は、オーディオシステムであるため、技術分野が異なる。また、このオーディオシステムは、レシーバ本体の外部に接続されたスピーカの音声出力を調整する一連の処理がリモートコントロール装置で行われる。
【０００９】
以上を鑑み、本発明は、映像表示手段と音声出力手段とを有する本体を備える表示装置において、簡易な構成でユーザの視聴位置における音声特性を向上させることを目的としている。
【課題を解決するための手段】
【００１０】
上記目的を達成するため、本発明は、映像を表示する映像表示手段と、音声を出力する音声出力手段と、映像表示及び音声出力を制御する制御手段とを有する本体を備える表示装置において、前記本体の外部において持ち運び可能とされ、運ばれた位置における基準音声の周波数特性を検出する周波数特性検出手段と、検出された周波数特性を表す周波数特性信号を前記本体へ送信する送信手段とを備え、前記本体には、前記周波数特性信号を受信する受信手段が設けられ、前記制御手段は、前記音声出力手段から前記基準音声を出力させ、前記受信手段で受信された周波数特性信号で表される基準音声の周波数特性を所定の周波数特性に近づけるように前記音声出力手段からの出力音声の周波数特性を補正することを特徴とする。
【００１１】
また、本発明は、映像を表示する映像表示手段と、音声を出力する音声出力手段と、映像表示及び音声出力を制御する制御手段とを有する本体を備える表示装置の制御方法において、前記制御手段で前記音声出力手段から基準音声を出力させる制御を行い、前記本体の外部において持ち運び可能とされた周波数特性検出手段の運ばれた位置における前記基準音声の周波数特性を該周波数特性検出手段で検出し、検出した周波数特性を表す周波数特性信号を前記本体へ送信し、前記本体に設けられた受信手段で前記周波数特性信号を受信し、前記受信された周波数特性信号で表される基準音声の周波数特性を所定の周波数特性に近づけるように前記音声出力手段からの出力音声の周波数特性を補正する制御を前記制御手段で行うことを特徴とする。
【００１２】
さらに、本発明は、映像を表示する映像表示手段と、音声を出力する音声出力手段とを有する本体と、前記本体の外部において持ち運び可能とされて運ばれた位置における基準音声の周波数特性を検出する周波数特性検出手段と、検出された周波数特性を表す周波数特性信号を前記本体へ送信する送信手段とを備え、前記周波数特性信号を受信する受信手段が前記本体に設けられた表示装置の制御プログラムにおいて、前記音声出力手段から前記基準音声を出力させる制御を行う機能と、前記受信手段で受信された周波数特性信号で表される基準音声の周波数特性を所定の周波数特性に近づけるように前記音声出力手段からの出力音声の周波数特性を補正する制御を前記本体で行う機能とをコンピュータに実現させることを特徴とする。
【００１３】
すなわち、周波数特性検出手段の運ばれた位置における基準音声の周波数特性が該周波数特性検出手段で検出され、検出した周波数特性を表す周波数特性信号が本体へ送信される。本体では、受信手段で周波数特性信号が受信され、受信された周波数特性信号で表される音声の周波数特性が所定の周波数特性に近づくように音声出力手段からの出力音声の周波数特性が補正される。
以上より、本体の外部では、周波数特性検出手段の運ばれた位置における基準音声の周波数特性を所定の周波数特性に近づける処理を行う必要が無い。従って、映像表示手段と音声出力手段とを有する本体を備える表示装置において、簡易な構成で視聴者の居場所における音声特性を向上させることができる。
【００１４】
ところで、音声の周波数特性は、音圧レベルLp（dB）の周波数特性、音圧ｐ（Pa）の周波数特性、音の強さＩ（Ｗ／ｍ2）、等を含む。前記音圧レベルは、補正無しの音圧レベルの他、Ａ特性音圧レベル（騒音レベル）、Ｃ特性音圧レベル、等を含む。音圧レベルの周波数特性は、音声の周波数に対する音圧レベルの関係をいい、互いに中心周波数の異なる複数のオクターブバンドパスフィルタを通過した音声の電圧信号から得られる各音圧レベル等で表される。
上記周波数特性検出手段は、リモートコントロール装置に設けられてもよいし、マイクロホン及び周波数特性検出回路を備える持ち運び可能なユニットとされてもよい。
上記送信手段は、赤外線信号や可視光線信号等の無線信号で周波数特性信号を本体へ送信してもよいし、有線信号で周波数特性信号を本体へ送信してもよい。むろん、上記受信手段は、無線信号の周波数特性信号を受信してもよいし、有線信号の周波数特性信号を受信してもよい。前記赤外線信号は、遠赤外線信号、近赤外線信号、等の信号を含む。
【発明の効果】
【００１５】
以上説明したように、請求項１、請求項８、請求項９に係る発明によれば、映像表示手段と音声出力手段とを有する本体を備える表示装置において、簡易な構成でユーザの視聴場所における音声特性を向上させることができる。
請求項２、請求項３、請求項５〜請求項７に係る発明では、表示装置の利便性を向上させることができる。
請求項４に係る発明では、映像表示手段と音声出力手段とを有する本体を備える表示装置において、簡易な構成でユーザの視聴場所における音声特性をさらに向上させることができる。
請求項１０に係る発明では、映像表示手段と音声出力手段とを有する本体を備えるテレビジョンにおいて、簡易な構成でユーザの視聴場所における音声特性を向上させることができる。
【図面の簡単な説明】
【００１６】
【図１】一実施形態に係るテレビジョン（表示装置）１の構成を模式的に例示する正面図である。
【図２】視聴位置に応じて音声の周波数特性が異なることを例示する平面図である。
【図３】テレビジョン１の回路構成を例示するブロック図である。
【図４】リモートコントロール装置２０の回路構成を例示するブロック図である。
【図５】記憶領域Ｒ１の構造を模式的に例示する図である。
【図６】（ａ）は基準音声ＳＡ２の周波数特性ＣＨ１を例示する図、（ｂ）は検出される基準音声ＳＡ２の周波数特性ＣＨ１を例示する図、（ｃ）は周波数特性補正情報を例示する図、（ｄ）は出力音声ＳＡ１の周波数特性ＣＨ３を補正する様子を例示する図である。
【図７】（ａ）は一方のスピーカから出力された基準音声ＳＡ２を検出したタイミングt1において検出される基準音声ＳＡ２の周波数特性ＣＨ１を例示する図、（ｂ）は両方のスピーカから出力された基準音声ＳＡ２を検出したタイミングt2において検出される基準音声ＳＡ２の周波数特性ＣＨ１を例示する図、（ｃ）は他方のスピーカから出力された基準音声ＳＡ２を先に検出した場合において検出される基準音声ＳＡ２の周波数特性ＣＨ１を例示する図である。
【図８】テレビジョン１で行われる音声特性調整処理を例示するフローチャートである。
【図９】テレビジョン１で行われる新規調整処理を例示するフローチャートである。
【図１０】テレビジョン１で行われるポジション選択処理を例示するフローチャートである。
【図１１】テレビジョン１で行われる複数ポジション選択処理を例示するフローチャートである。
【図１２】テレビジョン本体１０で表示される調整メニュー画面ＤＩ１を例示する図である。
【図１３】テレビジョン本体１０で表示される新規調整画面ＤＩ２を例示する図である。
【図１４】テレビジョン本体１０で表示されるポジション選択画面ＤＩ３を例示する図である。
【図１５】テレビジョン本体１０で表示される複数ポジション選択画面ＤＩ４を例示する図である。
【発明を実施するための形態】
【００１７】
（１）表示装置の概略：
まず、表示装置の概略を説明する。
表示装置１は、映像Ｖ１を表示する映像表示手段１２と、音声ＳＡ１を出力する音声出力手段１３と、映像表示及び音声出力を制御する制御手段１４とを有する本体１０を備え、さらに、周波数特性検出手段２２と送信手段２３とを備える。周波数特性検出手段２２は、本体１０の外部において持ち運び可能とされ、運ばれた位置における基準音声ＳＡ２の周波数特性ＣＨ１を検出する。送信手段２３は、検出された周波数特性ＣＨ１を表す周波数特性信号ＳＩ２を本体１０へ送信する。本体１０には、さらに、周波数特性信号ＳＩ２を受信する受信手段１５が設けられている。制御手段１４は、前記音声出力手段１３から前記基準音声ＳＡ２を出力させる。そして、制御手段１４は、受信手段１５で受信された周波数特性信号ＳＩ２で表される基準音声ＳＡ２の周波数特性ＣＨ１を所定の周波数特性ＣＨ２に近づけるように音声出力手段１３からの出力音声ＳＡ１の周波数特性ＣＨ３を補正する。
【００１８】
以上より、本体１０の外部では、周波数特性検出手段２２の運ばれた位置における基準音声ＳＡ２の周波数特性ＣＨ１を所定の周波数特性ＣＨ２に近づける処理を行う必要が無い。従って、映像表示手段１２と音声出力手段１３とを有する本体１０を備える表示装置１において、簡易な構成で視聴者の居場所における音声特性を向上させることができる。
【００１９】
本実施形態の本体１０には、出力音声ＳＡ１の周波数特性ＣＨ３を補正するための周波数特性補正情報Ｉ１を複数記憶可能な記憶領域Ｒ１が設けられている。制御手段１４は、音声出力手段１３から基準音声ＳＡ２を出力させ、受信手段１５で受信された周波数特性信号ＳＩ２で表される基準音声ＳＡ２の周波数特性ＣＨ１を所定の周波数特性ＣＨ２に近づけるように周波数特性補正情報Ｉ１を生成し、前記記憶領域Ｒ１に前記生成した周波数特性補正情報Ｉ１を記憶し、該記憶した周波数特性補正情報Ｉ１に従って出力音声ＳＡ１の周波数特性ＣＨ３を補正可能である。また、制御手段１４は、記憶領域Ｒ１に記憶されている周波数特性補正情報Ｉ１の中から出力音声ＳＡ１の周波数特性ＣＨ３を補正する周波数特性補正情報Ｉ１を選択するための入力を受け付け、選択された周波数特性補正情報Ｉ１に従って出力音声ＳＡ１の周波数特性ＣＨ３を補正可能である。従って、本実施形態の表示装置１は、便利である。
【００２０】
本実施形態の制御手段１４は、記憶領域Ｒ１に記憶されている周波数特性補正情報Ｉ１の少なくとも一部の周波数特性補正情報Ｉ１で表される補正量（補正係数ｋ）を平均し、該平均した補正量に従って出力音声ＳＡ１の周波数特性ＣＨ３を補正可能である。従って、本実施形態の表示装置１は、便利である。
【００２１】
本実施形態の音声出力手段１３は、本体１０に対して異なる位置に設けられた複数のスピーカ１３７，１３８を有している。本実施形態の制御手段１４は、各スピーカ１３７，１３８から異なる周波数の基準音声ＳＡ２を出力させる。本実施形態の周波数特性検出手段２２は、運ばれた位置における基準音声ＳＡ２の周波数特性ＣＨ１を所定間隔のタイミングｔで繰り返し検出する。また、制御手段１４は、受信手段１５で受信された周波数特性信号ＳＩ２に基づいて前記運ばれた位置における各スピーカ１３７，１３８からの基準音声ＳＡ２の到達時刻の差を少なくさせるように各スピーカ１３７，１３８からの音声出力のタイミングを調整する。従って、映像表示手段１２と音声出力手段１３とを有する本体１０を備える表示装置１において、簡易な構成でユーザの視聴場所における音声特性をさらに向上させることができる。
【００２２】
本実施形態の本体１０には、各スピーカ１３７，１３８からの音声出力のタイミングｔを調整するための出力タイミング調整情報Ｉ２を複数記憶可能な出力タイミング調整情報記憶領域Ｒ３が設けられている。本実施形態の制御手段１４は、各スピーカ１３７，１３８から前記異なる周波数の基準音声ＳＡ２を出力させ、受信手段１５で受信された周波数特性信号ＳＩ２に基づいて前記運ばれた位置における各スピーカ１３７，１３８からの基準音声ＳＡ２の到達時刻の差を少なくさせるように出力タイミング調整情報Ｉ２を生成し、前記出力タイミング調整情報記憶領域Ｒ３に前記生成した出力タイミング調整情報Ｉ２を記憶し、該記憶した出力タイミング調整情報Ｉ２に従って各スピーカ１３７，１３８からの音声出力のタイミングを調整可能である。また、制御手段１４は、出力タイミング調整情報記憶領域Ｒ３に記憶されている出力タイミング調整情報Ｉ２の中から音声出力のタイミングを調整する出力タイミング調整情報Ｉ２を選択するための入力を受け付け、選択された出力タイミング調整情報Ｉ２に従って各スピーカ１３７，１３８からの音声出力のタイミングを調整する。従って、本実施形態の表示装置１は、便利である。
【００２３】
本実施形態の制御手段１４は、出力タイミング調整情報記憶領域Ｒ３に記憶されている出力タイミング調整情報Ｉ２の少なくとも一部の出力タイミング調整情報Ｉ２で表される調整量（t2−t1）を平均し、該平均した調整量に従って各スピーカ１３７，１３８からの音声出力のタイミングを調整する。従って、本実施形態の表示装置１は、便利である。
【００２４】
本実施形態の周波数特性検出手段２２及び送信手段２３は、持ち運び可能なリモートコントロール装置（リモコン装置）２０に設けられている。本実施形態の周波数特性検出手段２２は、マイクロホン２２１と、該マイクロホン２２１で検出された音声の周波数特性を検出する周波数特性検出回路２２２とを有している。本実施形態の送信手段２３は、前記本体１０との間で無線信号ＳＩ１を送受信可能なリモコン側送受信装置とされている。本実施形態の受信手段１５は、リモコン側送受信装置２３との間で無線信号ＳＩ１を送受信可能な本体側送受信装置とされている。本実施形態のリモコン装置２０は、操作入力を受け付ける操作入力手段２４を有し、出力音声ＳＡ１の周波数特性ＣＨ３を補正するための操作入力を受け付けると、基準音声ＳＡ２の出力要求（第一の選択信号ＳＩ１１）をリモコン側送受信装置２３から本体１０へ無線送信する。本実施形態の制御手段１４は、本体側送受信装置１５で前記出力要求（ＳＩ１１）が受信されると、音声出力手段１３から基準音声ＳＡ２を出力させる。本実施形態のリモコン装置２０は、周波数特性検出手段２２で前記運ばれた位置における基準音声ＳＡ２の周波数特性ＣＨ１を検出し、検出した周波数特性ＣＨ１を表す周波数特性信号ＳＩ２をリモコン側送受信装置２３から本体１０へ無線送信する。本実施形態の制御手段１４は、本体側送受信装置１５で受信された周波数特性信号ＳＩ２で表される基準音声ＳＡ２の周波数特性ＣＨ１を所定の周波数特性ＣＨ２に近づけるように音声出力手段１３からの出力音声ＳＡ１の周波数特性ＣＨ３を補正する。従って、本実施形態の表示装置１は、便利である。
【００２５】
（２）テレビジョンの構成：
次に、本発明の一実施形態に係る表示装置を適用した薄型テレビジョン１の詳細を説明する。
図１は、テレビジョン（ＴＶ）１の構成を模式的に示す正面図である。図２は、本体１０から出る音声ＳＡ１が壁Ｗ１，Ｗ２等で反射する様子を模式的に示す平面図である。図３は、ＴＶ１の電気回路のブロック図である。図３は、液晶テレビジョンを例にとって電気回路の構成を示している。
【００２６】
ＴＶ１は、テレビジョン本体１０とリモコン装置２０とを備える薄型表示装置とされている。
テレビジョン本体１０は、キャビネット１１、映像表示手段１２、音声出力手段１３、制御手段１４、本体側送受信装置（受信手段）１５、不揮発性半導体メモリ１６、を備えている。キャビネット１１は、樹脂等で略箱形に形成され、前面１１ａに開口１１ｂを有している。映像表示手段１２は、図３に示す各部１２６〜１２８を備え、開口１１ｂから映像Ｖ１を表示する。音声出力手段１３は、図３に示す各部１３１，１３５〜１３８を備え、音声ＳＡ１を出力する。本実施形態の音声出力手段１３は、本体１０に対して左右（異なる位置）に設けられた複数のスピーカ１３７，１３８を有している。制御手段１４は、マイコン（マイクロコンピュータ）１１０及び周波数特性補正部１４０を備え、映像表示及び音声出力を制御する。本体側送受信装置１５は、リモコン側送受信装置（受信手段）２３との間で赤外線信号（無線信号）ＳＩ１を送受信可能であり、周波数特性信号ＳＩ２を受信する。不揮発性半導体メモリ１６は、図６に示すように、周波数特性補正情報Ｉ１と出力タイミング調整情報Ｉ２の組み合わせを複数記憶可能な記憶領域Ｒ１が設けられている。本体の各部１２〜１６は、キャビネット１１に収容されている。
【００２７】
テレビジョン本体１０は、テレビジョン放送信号受信用のアンテナ１２２から受信した信号に基づいて映像及び音声を出力する。
チューナ回路１２１は、例えば、マイコン１１０の制御により、ＰＬＬ（Phase Lock Loop）シンセサイザ方式の選局方式で選局し、アンテナ１２２から受信したテレビジョン放送信号を高周波増幅し、増幅後の信号をヘテロダイン検波によって中間周波信号に変換する。高周波増幅の増幅率は、ＡＧＣ（Automatic Gain Control）回路１２５から出力されるＲＦ−ＡＧＣ（Radio Frequency Automatic Gain Control）電圧で決定される。
【００２８】
中間周波増幅回路１２３は、チューナ回路１２１から上記中間周波信号を入力し、該中間周波信号を増幅して映像検波回路１２４へ出力する。中間周波信号の増幅率は、ＡＧＣ回路１２５から出力されるＩＦ−ＡＧＣ（Intermediate Frequency Automatic Gain Control）電圧で決定される。
映像検波回路１２４は、中間周波増幅回路１２３から入力される中間周波信号から復号映像信号及び音声信号を取り出す。復号映像信号には、輝度信号や搬送色信号や同期信号が含まれる。
【００２９】
ＡＧＣ回路１２５は、映像検波回路１２４から同期信号を入力し、該同期信号の大きさ強さに応じたＲＦ−ＡＧＣ電圧およびＩＦ−ＡＧＣ電圧を生成する。チューナ回路１２１は、ＲＦ−ＡＧＣ電圧を入力し、例えばＲＦ−ＡＧＣ電圧が高いほど増幅率を低下させる自動利得調整を行う。中間周波増幅回路１２３は、ＩＦ−ＡＧＣ電圧を入力し、例えばＩＦ−ＡＧＣ電圧が高いほど増幅率を低下させる自動利得調整を行う。
映像信号処理回路１２６は、複合映像信号をさらに増幅し、Ｙ／Ｃ分離回路１２６ａでＹ／Ｃ分離を行い、輝度信号（Ｙ）をマトリクス回路１２６ｃに対して出力し、搬送色信号（Ｃ）を色復調回路１２６ｂに対して出力し、同期分離によって得られる同期信号をマイコン１１０に対して出力する。色復調回路１２６ｂは、Ｙ／Ｃ分離回路１２６ａから入力される搬送色信号（Ｃ）をＲ−Ｙの色差信号及びＢ−Ｙの色差信号に復調し、マトリクス回路１２６ｃに対して出力する。マトリクス回路１２６ｃは、入力される輝度信号（Ｙ）、Ｒ−Ｙ色差信号及びＢ−Ｙ色差信号に基づいてマトリクス変換処理を行い、ＲＧＢ（Red-Green-Blue）信号を生成する。
【００３０】
液晶ドライバ回路１２７は、画素数変換回路、画質調整回路、出力処理回路、フレームメモリ、を有し、マイコン１１０からのＯＳＤ（On-Screen Display）信号をＲＧＢ信号に重畳し、該重畳したＲＧＢ信号に基づいて液晶モジュール１２８を駆動して映像を液晶パネル（画面）１２８ａに表示させる。画素数変換回路は、マトリクス回路１２６ｃから入力されるＲＧＢ信号に対してスケーリング処理を行って１画面分のＲＧＢ信号を生成し、該ＲＧＢ信号を画素情報としてフレームメモリに格納する。画質調整回路は、フレームメモリに格納されたＲＧＢ信号に対して、ブライトネス、コントラスト、黒バランス、白バランス、といった画質調整を行う。出力処理回路は、画質調整後のＲＧＢ信号に対して、ガンマ補正、ディザ処理、等を行い、背景信号、ブランキング信号、等を付加して液晶パネル１２８ａに出力し、１画面分の画像を繰り返し表示させる。
液晶モジュール１２８は、液晶パネル１２８ａ、液晶パネル１２８ａを背面から照射するバックライト１２８ｂ、入力される電源電圧から所定の高電圧を生成してバックライト１２８ｂに供給するインバータ１２８ｃ、を備えている。液晶モジュール１２８は、バックライト１４２を点灯させながら液晶パネル１４１に映像を表示させる。
【００３１】
デジタルシグナルプロセッサ（ＤＳＰ）１３１は、周波数特性補正部１４０、切替回路１３２及び遅延回路１３３，１３４を備えている。周波数特性補正部１４０は、マイコン１１０から周波数特性補正情報Ｉ１に対応する設定値を入力して所定の記憶場所に記憶するとともに、映像検波回路１２４から音声信号を入力し、記憶している設定値に基づいて音声信号の周波数特性を補正し、補正した音声信号を切替回路１３２へ出力する。切替回路１３２は、周波数特性補正部１４０から周波数特性補正後の音声信号を入力するとともに、マイコン１１０から基準音声信号を入力し、遅延回路１３３，１３４へ出力する信号を周波数特性補正部１４０からの音声信号とするかマイコン１１０からの基準音声信号にするかを切り替える。また、入力される音声信号を左スピーカ１３７へ出力する左音声信号と右スピーカ１３８へ出力する右音声信号とに分離する。左遅延回路１３３及び右遅延回路１３４は、それぞれ、マイコン１１０から入力される遅延タイミングとなるように切替回路１３２から入力される音声信号のタイミングを遅延させる。左増幅回路１３５及び右増幅回路１３６は、それぞれ、遅延回路１３３，１３４から入力される音声信号を増幅してスピーカ１３７，１３８へ供給する。
図３の例では遅延回路がＤＳＰに内蔵されているが、遅延回路はＤＳＰに内蔵されるものとは限らない。遅延回路は、ＤＳＰの外部において、音声信号毎に個別に設けられてもよい。
【００３２】
マイコン１１０は、内部のバスに接続されたＣＰＵ（Central Processing Unit）１１１、半導体メモリ１１２，１１３、タイマ回路１１４、ＯＳＤ（On-Screen Display）回路１１５、Ｉ／Ｏ（入出力）回路、等を備えている。ＣＰＵ１１１は、ＲＡＭ（Random Access Memory）１１３をワークエリアとして利用しながらＲＯＭ（Read Only Memory）１１２に書き込まれたテレビジョン用の制御プログラムを実行し、テレビジョン１全体の動作を制御する。タイマ回路１１４は、一定時間毎に割込信号を生成してＣＰＵ１１１へ出力可能である。ＯＳＤ回路１１５は、図１２〜図１５に示す画面ＤＩ１〜ＤＩ４等のＯＳＤ画面の被重畳信号を生成して映像信号処理回路１２６へ出力する。マイコン１１０は、さらに、基準音声ＳＡ２を出力させる基準音声信号を生成してＤＳＰの切替回路１３２へ出力したり、左スピーカ１３７の音声出力を遅延させる遅延タイミングの信号を左遅延回路１３３へ出力したり、右スピーカ１３８の音声出力を遅延させる遅延タイミングの信号を右遅延回路１３４へ出力したりする。スピーカ１３７，１３８は、映像Ｖ１に対応する音声ＳＡ１を出力するとともに、基準音声ＳＡ２も出力する。
【００３３】
図４は、リモコン装置２０の回路構成を示すブロック図である。リモコン装置２０は、リモコン制御手段２１、周波数特性検出手段２２、リモコン側送受信装置２３、複数の操作ボタン（操作入力手段）２４、を備え、キャビネット１１の外部において持ち運び可能とされている。
リモコン制御手段２１は、内部のバスに接続されたＣＰＵ２１１、半導体メモリ２１２，２１３、タイマ回路２１４、Ｉ／Ｏ（入出力）回路２１５，２１６、インターフェース（Ｉ／Ｆ）２１７、等を備えている。ＣＰＵ２１１は、ＲＡＭ２１３をワークエリアとして利用しながらＲＯＭ２１２に書き込まれたリモコン用の制御プログラムを実行し、リモコン装置２０全体の動作を制御する。タイマ回路２１４は、一定時間毎に割込信号を生成してＣＰＵ２１１へ出力可能である。Ｉ／Ｏ回路２１５は、アナログデジタル変換回路（ＡＤＣ；Analog to Digital Converter）２２５から周波数帯域毎のデジタルの音圧レベルを入力する。Ｉ／Ｏ回路２１６は、リモコン側送受信装置２３との間でデータを入出力する。
【００３４】
周波数特性検出手段２２は、マイクロホン２２１及び周波数特性検出回路２２２を備え、運ばれた位置における基準音声ＳＡ２の周波数特性ＣＨ１を検出する。また、タイマ回路２１４を有するリモコン制御手段２１も周波数特性検出手段２２の一部を構成し、該周波数特性検出手段２２がリモコン装置２０の運ばれた位置における基準音声ＳＡ２の周波数特性ＣＨ１を所定間隔のタイミングｔで繰り返し検出する。マイクロホン２２１は、基準音声ＳＡ２を検出して電圧の音声信号に変換する。周波数特性検出回路２２２は、周波数帯域毎のバンドパスフィルタ２２３、整流回路２２４、ＡＤＣ２２５、を備え、運ばれた位置においてマイクロホン２２１で検出された基準音声ＳＡ２の周波数特性ＣＨ１を検出する。各バンドパスフィルタ２２３は、オクターブバンドパスフィルタ等を用いることができ、互いに異なる中心周波数の音声信号を通過させる。整流回路２２４は、帯域毎に設けられ、帯域毎の音声信号を整流して帯域毎のアナログの音圧レベルを生成する。この音圧レベルは、Ａ特性音圧レベルが好ましいが、Ｃ特性音圧レベルや補正無しの音圧レベル等でもよい。ＡＤＣ２２５は、帯域毎に設けられ、帯域毎のアナログの音圧レベルをデジタルの音圧レベルに変換し、Ｉ／Ｏ回路２１５へ出力する。これにより、リモコン制御手段２１は、帯域毎のデジタルの音圧レベルをＩ／Ｏ回路２１５から読み出すことができる。
【００３５】
リモコン側送受信装置２３は、本体１０との間で赤外線信号ＳＩ１を送受信可能であり、周波数特性検出回路２２２で検出された周波数特性を表す赤外線の周波数特性信号ＳＩ２を本体１０へ送信する。
複数の操作ボタン２４は、ＴＶ１のユーザから操作入力を受け付ける。
【００３６】
ところで、近年の薄型テレビジョンは、前面に対して映像表示面がなるべく広くなるようにスピーカが後方や下方へ向けて配置されている。キャビネットにスピーカが後方に向けて内蔵される場合、図２に示すように、テレビジョン本体の後方の壁Ｗ１、テレビジョン本体の横の壁Ｗ２、テレビジョン本体の下方の床Ｆ１、等で出力音声ＳＡ１が反射してからユーザの耳に入る。出力音声ＳＡ１は、壁Ｗ１，Ｗ２や床Ｆ１で反射すると、壁Ｗ１，Ｗ２や床Ｆ１の材質、壁Ｗ１，Ｗ２や床Ｆ１の形状、等により周波数特性が変化してしまう。しかも、出力音声の周波数特性は、ユーザの視聴位置によって変わる。また、比較的左側の視聴位置Ｐ１では左スピーカ１３７からの音声が右スピーカ１３８からの音声よりも先に到達する一方、比較的右側の視聴位置Ｐ２では右スピーカ１３８からの音声が左スピーカ１３７からの音声よりも先に到達する。従って、左右スピーカ１３７，１３８からの音声の到達時間が視聴位置に応じて異なってくる。
そこで、本実施形態では、本体１０に周波数特性補正情報Ｉ１及び出力タイミング調整情報Ｉ２を記憶する記憶領域Ｒ１を設け、リモコン装置２０に周波数特性検出手段２２を設け、検出した周波数特性を表す周波数特性信号ＳＩ２を本体１０へ送信し、周波数特性信号ＳＩ２で表される基準音声ＳＡ２の周波数特性ＣＨ１を所定の周波数特性ＣＨ２に近づけるように出力音声ＳＡ１の周波数特性を補正している。
【００３７】
図５に示すように、不揮発性半導体メモリ１６には、周波数特性補正情報Ｉ１と出力タイミング調整情報Ｉ２の組み合わせを複数記憶可能な記憶領域Ｒ１が設けられている。記憶領域Ｒ１は、ポジション毎に周波数特性補正情報Ｉ１を記憶する周波数特性補正情報記憶領域Ｒ２、ポジション毎に出力タイミング調整情報Ｉ２を記憶する出力タイミング調整情報記憶領域Ｒ３、を有している。ここで、周波数特性補正情報Ｉ１は、出力音声ＳＡ１の周波数特性ＣＨ３を補正するための情報である。出力タイミング調整情報Ｉ２は、各スピーカ１３７，１３８からの音声出力のタイミングを調整するための情報である。
不揮発性半導体メモリ１６には、ＥＥＰＲＯＭ（Electrically Erasable and Programmable Read Only Memory）、フラッシュメモリ（Flash memory）、等のデータを書き換え可能なメモリを用いることができる。
【００３８】
図６は、出力音声ＳＡ１の周波数特性ＣＨ３を補正する様子を模式的に示している。まず、図６（ａ）に示すような周波数特性の基準音声ＳＡ２をスピーカ１３７，１３８から出力する。基準音声ＳＡ２は、例えば、全周波数帯域にわたって略一定のＡ特性音圧レベルLs（dB）とされた音声とすることができる。次に、図６（ｂ）に示すように、リモコン装置２０の運ばれた位置における基準音声ＳＡ２の周波数特性ＣＨ１を周波数特性検出手段２２で検出する。この周波数特性ＣＨ１を表す周波数特性信号ＳＩ２は、本体１０へ送信される。さらに、図６（ｃ）に示すように、出力音声ＳＡ１の周波数特性ＣＨ３を補正するための情報である補正係数ｋ（補正量）を本体１０で求める。そして、補正係数ｋに従って出力音声ＳＡ１の周波数特性ＣＨ３を周波数特性補正部１４０で補正する。すると、視聴位置においては、補正前に基準音声の周波数特性が図６（ｂ）に示すような特性ＣＨ１であったのに対して、補正後に図６（ａ）に示すようなフラットな特性になる。本実施形態では、補正係数ｋを維持し、テレビジョンの放送音声に補正係数ｋを適用して視聴することになるので、視聴位置が変わらなければ、テレビジョン音声信号の周波数特性がどんな特性であろうと、図６（ｄ）に一例を示すように、補正係数ｋに従って出力音声ＳＡ１の周波数特性ＣＨ３を補正する。
なお、基準音声の信号の電気的振幅はフラットであるが、基準音声が視聴位置に届いた段階ではスピーカの位置、壁材、床材の影響によってフラットな特性でなくなる。このフラットでない部分をフラットに戻すことが上述した補正となる。基準音声の信号に補正係数ｋを適用した場合、スピーカからの出力音声がフラットでなくなるが、視聴位置における基準音声の周波数特性はフラットになる。
【００３９】
図７は、各スピーカ１３７，１３８からの音声出力のタイミングを調整する様子を模式的に示している。例えば、左スピーカ１３７から中心周波数１kHzの基準音声、右スピーカ１３８から中心周波数２kHzの基準音声を出力するものとする。先に左スピーカ１３７からの出力音声が視聴位置に到達する場合、その到着タイミングt1において周波数特性検出手段２２で検出される周波数特性は、図７（ａ）に示すように、１KHzにピークを有する周波数特性となる。次に、右スピーカ１３８からの出力音声が視聴位置に到達したとき、その到着タイミングt2において周波数特性検出手段２２で検出される周波数特性は、図７（ａ）に示すように、１KHz及び２kHzの音圧レベルの高い周波数特性となる。そこで、到着タイミングの差（t2−t1）を調整すれば、視聴位置における各スピーカ１３７，１３８からの音声の到達時刻の差を少なくさせることができる。一方、先に右スピーカ１３８からの出力音声が視聴位置に到達する場合、その到着タイミングにおいて周波数特性検出手段２２で検出される周波数特性は、図７（ｃ）に示すように、２KHzにピークを有する周波数特性となる。そこで、中心周波数１kHzの基準音声の到達タイミングをt1、中心周波数２kHzの基準音声の到達タイミングをt2とすれば、差（t2−t1）を出力タイミング調整情報Ｉ２とすることができる。
むろん、各スピーカから出力する基準音声の周波数の組み合わせは、様々な周波数の組み合わせが可能である。また、スピーカの数が３以上であっても、各スピーカから互いに異なる周波数の基準音声を出力することにより、視聴位置における各スピーカからの音声の到達時刻の差を少なくさせることができる。
【００４０】
（３）テレビジョンの動作、並びに、作用及び効果：
次に、図８〜図１５を参照して、テレビジョン１の動作、並びに、作用及び効果を説明する。
図８に示すテレビジョン本体１０の処理は、電源オン時にＣＰＵ１１１によって行われる。リモコン装置２０の音声特性調整処理は、複数の操作ボタン２４に含まれる音声特性調整ボタンの押圧操作等の所定の操作をユーザから受け付けたときにＣＰＵ２１１によって行われる。ここで、リモコン装置２０から本体１０へ信号を赤外線送信する場合にはリモコン側送受信装置２３が信号を赤外線送信して該信号を本体側送受信装置１５が受信し、本体１０からリモコン装置２０へ信号を赤外線送信する場合には本体側送受信装置１５が信号を赤外線送信して該信号をリモコン側送受信装置２３が受信する。以下の説明では、このような送受信動作の説明を省略する。
【００４１】
リモコン装置２０は、音声特性調整処理を開始すると、調整メニュー表示要求を本体１０へ送信する（ステップＳ１０２。以下、「ステップ」の記載を省略）。本体１０は、調整メニュー表示要求を受信すると、図１２に示す調整メニュー画面ＤＩ１を映像表示する（Ｓ１２２）。ここで、マイコン１１０が調整メニュー画面ＤＩ１をＯＳＤ表示させる被重畳信号を生成してＯＳＤ回路１１５から映像信号処理回路１２６へ出力し、映像信号処理回路１２６が前記被重畳信号をＲＧＢ信号に重畳し、液晶ドライバ回路１２７が所定の処理を行って液晶パネル１２８ａに調整メニュー画面ＤＩ１をＯＳＤ表示させる。以下の説明では、このような映像表示の説明を省略する。
【００４２】
調整メニュー画面ＤＩ１は、音声特性調整モードを表す画面であり、「新規調整」、「ポジション選択」、「複数ポジション選択」、「終了」の各メニューＤＩ１１を有している。ＴＶ１は、ユーザからメニューＤＩ１１のいずれか一つを選択する操作入力を受け付ける。すなわち、リモコン装置２０は、メニューＤＩ１１を選択するための操作入力を操作ボタン２４で受け付けると、選択されたメニューＤＩ１１を表す選択信号を本体１０へ送信する（Ｓ１０４）。例えば、各メニューＤＩ１１に対応する番号の操作ボタン２４が押圧操作されると、対応するメニューＤＩ１１の選択入力を受け付けたことになり、該番号が表された選択信号がリモコン装置２０から本体１０へ送信される。本体１０は、前記選択信号を受信すると（Ｓ１２４）、該選択信号に対応するメニューＤＩ１１の選択入力を受け付けたことになり、選択されたメニューＤＩ１１に対応する調整処理を行って（Ｓ１２６）、Ｓ１２２に戻る。リモコン装置２０は、選択されたメニューＤＩ１１に対応する調整処理を行って（Ｓ１０６）、音声特性調整処理を終了する。
【００４３】
図９は、調整メニュー画面ＤＩ１の「新規調整」が選択された場合にＳ１０６，Ｓ１２６で行われる新規調整処理を示している。
テレビジョン本体１０は、まず、図１３に示す新規調整画面ＤＩ２を映像表示する（Ｓ２２２）。新規調整画面ＤＩ２は、記憶領域Ｒ１の中から情報Ｉ１，Ｉ２を記憶する場所を選択するモードを表す画面であり、各記憶場所に対応した複数のポジション表示領域ＤＩ２１を有している。ＴＶ１は、ユーザからポジション表示領域ＤＩ２１のいずれか一つを選択する操作入力を受け付ける。すなわち、リモコン装置２０は、ポジション表示領域ＤＩ２１を選択するための操作入力を操作ボタン２４で受け付けると、選択されたポジション表示領域ＤＩ２１を表す第一の選択信号ＳＩ１１を本体１０へ送信する（Ｓ２０２）。ポジション表示領域ＤＩ２１の選択入力は、記憶領域Ｒ１の中から記憶場所を選択するための操作入力である。例えば、各ポジション表示領域ＤＩ２１に対応する番号の操作ボタン２４が押圧操作されると、記憶場所を選択するための操作入力を受け付けたことになり、該番号が表された第一の選択信号ＳＩ１１がリモコン装置２０から本体１０へ送信される。第一の選択信号ＳＩ１１は、選択された記憶場所を表す信号である。マイコン１１０は、本体側送受信装置１５から第一の選択信号ＳＩ１１を受信した旨を入力すると（Ｓ２２４）、第一の選択信号ＳＩ１１に対応する記憶場所の選択入力を受け付けたことになり、図６（ａ）に示すような所定の周波数特性の基準音声ＳＡ２を複数のスピーカ１３７，１３８から出力させる（Ｓ２２６）。ここで、マイコン１１０が基準音声ＳＡ２を音声出力させる基準音声信号を生成してＤＳＰの切替回路１３２へ出力し、切替回路１３２が基準音声信号を遅延回路１３３，１３４へ出力し、遅延回路１３３，１３４が基準音声信号を増幅回路１３５，１３６へ出力し、増幅回路１３５，１３６が基準音声信号を増幅し、スピーカ１３７，１３８が基準音声ＳＡ２を出力する。以下の説明では、このような音声出力の説明を省略する。
【００４４】
リモコン装置２０では、マイクロホン２２１が基準音声ＳＡ２を検出して電圧の音声信号に変換し、該音声信号に基づいて周波数特性検出回路２２２が図６（ｂ）に示すような基準音声ＳＡ２の周波数特性ＣＨ１を検出し、ＡＤＣ２２５から周波数特性ＣＨ１を表すデジタルの電圧信号を出力する。そこで、リモコン制御手段２１は、ＡＤＣ２２５から周波数特性ＣＨ１を表すデジタル値を読み込み（Ｓ２０４）、周波数特性ＣＨ１を表す周波数特性信号ＳＩ２をリモコン側送受信装置２３に本体１０へ送信させる（Ｓ２０６）。このとき、リモコン側送受信装置２３は、周波数特性ＣＨ１を表すデジタル値を入力し、該周波数特性ＣＨ１を表す周波数特性信号ＳＩ２を生成して赤外線信号により本体１０へ送信する。
本体のマイコン１１０は、本体側送受信装置１５から赤外線の周波数特性信号ＳＩ２を受信した旨を入力すると（Ｓ２２８）、該周波数特性信号ＳＩ２で表される基準音声ＳＡ２の周波数特性ＣＨ１を所定の周波数特性ＣＨ２に近づけるように図６（ｃ）に示すような周波数特性補正情報Ｉ１を生成し、選択された場所の周波数特性補正情報記憶領域Ｒ２に記憶する（Ｓ２３０）。
【００４５】
周波数特性補正情報Ｉ１は、例えば、所定の中心周波数fp（Hz）の音圧レベル検出値SPLp（dB）を補正係数kp＝１として、他の中心周波数fi（Hz）（ｉ＝１，２，…，ｎ；ｎは２以上の整数）における音圧レベルの補正係数kiを算出することにより生成することができる。ここで、各音圧レベル検出値をSPLi（dB）とすると、各補正係数kiは、
ki＝SPLp／SPLi
となる。図６（ｃ）の例では、fp＝１kHzとして補正係数kiを求めている。むろん、fpは１kHz以外でもよく、各音圧レベル検出値SPLiのうち最小の音圧レベル検出値SPLiとなった中心周波数をfpとして補正係数kiを求めてもよい。また、補正係数ではなく、各音圧レベル検出値SPLi自体を周波数特性補正情報Ｉ１としてもよい。
生成された周波数特性補正情報Ｉ１は、新規調整画面ＤＩ２から選択されたポジション表示領域ＤＩ２１に対応する記憶場所の周波数特性補正情報記憶領域Ｒ２に記憶される。
【００４６】
また、マイコン１１０は、記憶した周波数特性補正情報Ｉ１に対応する設定値をＤＳＰの周波数特性補正部１４０へ出力し、該周波数特性補正部１４０に出力音声ＳＡ１の周波数特性ＣＨ３を補正させる（Ｓ２３２）。周波数特性補正情報Ｉ１に対応する設定値は、上述した補正係数ki、周波数特性補正情報Ｉ１そのものの値、等とすることができる。周波数特性補正部１４０は、マイコン１１０からの設定値を所定の記憶場所で保持し、映像検波回路１２４からの音声信号の周波数特性を設定値に基づいて補正し、補正後の音声信号を切替回路１３２へ出力する。すると、スピーカ１３７，１３８から出力される音声の周波数特性は、補正前の音声の周波数特性が図６（ａ）に示すようなフラットな特性ＣＨ２であったとすると、補正後に補正係数ｋが適用されて図６（ｂ）に示すような特性ＣＨ１になる。しかし、使用位置においては、補正前に図６（ｂ）に示すような特性ＣＨ１であった音声の周波数特性が補正後に図６（ａ）に示すようなフラットな特性になる。
以上の補正は、視聴位置が変わらなければ、テレビジョン音声信号の周波数特性がどんな特性であろうと、同じ補正係数ｋに従って行われる。例えば、周波数特性の補正が行われないときにスピーカ１３７，１３８から出力される音声ＳＡ１の周波数特性が図６（ｄ）の実線の曲線に例示するような周波数特性ＣＨ３であるとすると、周波数特性補正部１４０は上述した補正係数kiの概念を用いて周波数特性ＣＨ３を補正することができる。図６（ｄ）では、補正後の周波数特性を二点鎖線の曲線で示している。むろん、この補正は、スピーカから基準音声を出力する場合に視聴位置において図６（ａ）に示すようなフラットな特性になるような補正である。
以上により、視聴位置における音声特性が向上する。
なお、Ｓ２３２では、音声特性を変更した旨のＯＳＤ表示を行ってもよい。
【００４７】
さらに、マイコン１１０は、各スピーカ１３７，１３８から異なる周波数の基準音声ＳＡ２を出力させる（Ｓ２３４）。すなわち、マイコン１１０は、ＤＳＰ１３１から左増幅回路１３５へ第一の中心周波数（例えば１kHz）の基準音声信号を出力させ、ＤＳＰ１３１から右増幅回路１３６へ第二の中心周波数（例えば２kHz）の基準音声信号を出力させる。すると、左スピーカ１３７から第一の中心周波数の基準音声ＳＡ２が出力され、右スピーカ１３８から第二の中心周波数の基準音声ＳＡ２が出力される。
【００４８】
リモコン装置２０では、各スピーカ１３７，１３８から異なる周波数の基準音声ＳＡ２が出力されているとき、運ばれた位置における前記基準音声ＳＡ２の周波数特性ＣＨ１を所定間隔のタイミングｔで繰り返し検出する（Ｓ２０８）。むろん、マイクロホン２２１が基準音声ＳＡ２を検出して電圧の音声信号に変換し、該音声信号に基づいて周波数特性検出回路２２２が基準音声ＳＡ２の周波数特性ＣＨ１を検出し、ＡＤＣ２２５から周波数特性ＣＨ１を表すデジタルの電圧信号を出力する。ここで、例えば、タイマ回路２１４で所定間隔のタイミングｔを計測し、このタイミングｔ毎にリモコン制御手段２１がＡＤＣ２２５から基準音声ＳＡ２の周波数特性ＣＨ１を表すデジタル値を読み込む。この場合、マイクロホン２２１と周波数特性検出回路２２２とリモコン制御手段２１は、周波数特性検出手段２２を構成する。
さらに、リモコン制御手段２１は、繰り返し取得した周波数特性ＣＨ１を表す赤外線の周波数特性信号ＳＩ２をリモコン側送受信装置２３に本体１０へ送信させる（Ｓ２１０）。
【００４９】
本体のマイコン１１０は、本体側送受信装置１５から赤外線の周波数特性信号ＳＩ２を受信した旨を入力すると（Ｓ２３６）、該周波数特性信号ＳＩ２に基づいて、リモコン装置２０の運ばれた位置における各スピーカ１３７，１３８からの基準音声ＳＡ２の到達時刻の差t2−t1（秒）を少なくさせるように前記出力タイミング調整情報Ｉ２を生成し、選択された場所の出力タイミング調整情報記憶領域Ｒ３に記憶する（Ｓ２３８）。
【００５０】
出力タイミング調整情報Ｉ２は、例えば、繰り返し検出された周波数特性ＣＨ１に基づいて、最初に第一の中心周波数のピークが検出されたときのタイミングt1を取得し、最初に第二の中心周波数のピークが検出されたときのタイミングt2を取得し、各スピーカ１３７，１３８からの基準音声ＳＡ２の到達時刻の差（t2−t1）を算出することにより生成することができる。図７（ａ）及び（ｂ）の例では、左スピーカ１３７由来の１kHzのピークが最初にタイミングt1で検出され、右スピーカ１３８由来の２kHzのピークがタイミングt2で最初に検出されたことが示されている。この場合、左スピーカ１３７からの音声出力のタイミングを（t2−t1）遅らせると、視聴位置における各スピーカ１３７，１３８からの音声の到達時刻の差を少なくさせることができる。
生成された出力タイミング調整情報Ｉ２は、新規調整画面ＤＩ２から選択されたポジション表示領域ＤＩ２１に対応する記憶場所の出力タイミング調整情報記憶領域Ｒ３に記憶される。
【００５１】
また、マイコン１１０は、選択されている記憶場所に記憶した出力タイミング調整情報Ｉ２に従って、各スピーカ１３７，１３８からの音声出力のタイミングを調整する（Ｓ２４０）。例えば、出力タイミング調整情報Ｉ２で表される音声の到達時刻の差（t2−t1）について、（t2−t1）＞０であれば左遅延回路１３３に音声信号の出力をt2−t1秒遅らせる指示をマイコン１１０からＤＳＰ１３１へ出力し、（t2−t1）＜０であれば右遅延回路１３４に音声信号の出力をt1−t2秒遅らせる指示をマイコン１１０からＤＳＰ１３１へ出力する。すると、各スピーカ１３７，１３８から視聴位置における到達時刻の差が少なくされた音声ＳＡ１が出力される。従って、視聴位置における音声特性が向上する。
なお、Ｓ２４０では、音声出力のタイミングを変更した旨のＯＳＤ表示を行ってもよい。
そして、本体１０及びリモコン装置２０は、新規調整処理を終了する。
【００５２】
図１０は、調整メニュー画面ＤＩ１の「ポジション選択」が選択された場合にＳ１０６，Ｓ１２６で行われるポジション選択処理を示している。
テレビジョン本体１０は、まず、図１４に示すポジション選択画面ＤＩ３を映像表示する（Ｓ３２２）。ポジション選択画面ＤＩ３は、情報Ｉ１，Ｉ２の組み合わせを選択するモードを表す画面であり、記憶領域Ｒ１の各情報Ｉ１，Ｉ２に対応した複数のポジション表示領域ＤＩ３１を有している。ここで、情報Ｉ１，Ｉ２が記憶されていないポジション表示領域ＤＩ３２は、選択することができないようにされている。
【００５３】
ＴＶ１は、ユーザからポジション表示領域ＤＩ３１のいずれか一つを選択する操作入力を受け付ける。すなわち、リモコン装置２０は、ポジション表示領域ＤＩ３１を選択するための操作入力を操作ボタン２４で受け付けると、選択されたポジション表示領域ＤＩ３１を表す第二の選択信号ＳＩ１２を本体１０へ送信する（Ｓ３０２）。ポジション表示領域ＤＩ３１の選択入力は、記憶領域Ｒ１に記憶されている周波数特性補正情報Ｉ１及び出力タイミング調整情報Ｉ２の組み合わせの中から出力音声ＳＡ１の周波数特性ＣＨ３の補正及び各スピーカ１３７，１３８からの音声出力のタイミング調整に用いる組み合わせを選択するための操作入力である。例えば、各ポジション表示領域ＤＩ３１に対応する番号の操作ボタン２４が押圧操作されると、情報Ｉ１，Ｉ２の組み合わせを選択するための操作入力を受け付けたことになり、該番号が表された第二の選択信号ＳＩ１２がリモコン装置２０から本体１０へ送信される。第二の選択信号ＳＩ１２は、選択された情報Ｉ１，Ｉ２の組み合わせを表す信号である。マイコン１１０は、本体側送受信装置１５から第二の選択信号ＳＩ１２を受信した旨を入力すると（Ｓ３２４）、第二の選択信号ＳＩ１２に対応する情報Ｉ１，Ｉ２の組み合わせの選択入力を受け付けたことになり、選択された周波数特性補正情報Ｉ１を周波数特性補正情報記憶領域Ｒ２から読み出す（Ｓ３２６）。また、マイコン１１０は、Ｓ２３２と同様にして、読み出した周波数特性補正情報Ｉ１に対応する設定値をＤＳＰの周波数特性補正部１４０へ出力し、該周波数特性補正部１４０に出力音声ＳＡ１の周波数特性ＣＨ３を補正させる（Ｓ３２８）。Ｓ３２８では、音声特性を変更した旨のＯＳＤ表示を行ってもよい。このように、本ＴＶ１は、出力音声の周波数特性を補正する複数の視聴位置を設定することができるので、便利である。
【００５４】
さらに、マイコン１１０は、第二の選択信号ＳＩ１２に対応する出力タイミング調整情報Ｉ２を出力タイミング調整情報記憶領域Ｒ３から読み出す（Ｓ３３０）。また、マイコン１１０は、Ｓ２４０と同様にして、読み出した出力タイミング調整情報Ｉ２に従って、各スピーカ１３７，１３８からの音声出力のタイミングを調整する（Ｓ３３２）。Ｓ３３２では、音声出力のタイミングを変更した旨のＯＳＤ表示を行ってもよい。
そして、本体１０及びリモコン装置２０は、ポジション選択処理を終了する。このように、本ＴＶ１は、各スピーカからの音声出力のタイミングを調整する複数の視聴位置を設定することができるので、便利である。
【００５５】
図１１は、調整メニュー画面ＤＩ１の「複数ポジション選択」が選択された場合にＳ１０６，Ｓ１２６で行われる複数ポジション選択処理を示している。
テレビジョン本体１０は、まず、図１５に示す複数ポジション選択画面ＤＩ４を映像表示する（Ｓ４２２）。複数ポジション選択画面ＤＩ４は、情報Ｉ１，Ｉ２の組み合わせを複数選択するモードを表す画面であり、記憶領域Ｒ１の各情報Ｉ１，Ｉ２に対応した複数のポジション表示領域ＤＩ４１を有している。ここで、情報Ｉ１，Ｉ２が記憶されていないポジション表示領域ＤＩ４２は、選択することができないようにされている。
【００５６】
ＴＶ１は、ユーザからポジション表示領域ＤＩ４１のいずれか一つを選択する操作入力を受け付ける。すなわち、リモコン装置２０は、ポジション表示領域ＤＩ４１を選択するための操作入力を操作ボタン２４で受け付けると、選択されたポジション表示領域ＤＩ４１を表す第三の選択信号ＳＩ１３を本体１０へ送信する（Ｓ４０２）。ポジション表示領域ＤＩ４１の選択入力は、記憶領域Ｒ１に記憶されている周波数特性補正情報Ｉ１及び出力タイミング調整情報Ｉ２の組み合わせの中から補正量（補正係数ｋ）及び調整量（t2−t1）を平均する組み合わせを選択するための操作入力である。例えば、各ポジション表示領域ＤＩ４１に対応する番号の操作ボタン２４が押圧操作されると、補正量及び調整量を平均する情報Ｉ１，Ｉ２の組み合わせを選択するための操作入力を受け付けたことになり、該番号が表された第三の選択信号ＳＩ１３がリモコン装置２０から本体１０へ送信される。第三の選択信号ＳＩ１３は、選択された複数の組み合わせを表す信号である。マイコン１１０は、本体側送受信装置１５から第三の選択信号ＳＩ１３を受信した旨を入力すると（Ｓ４２４）、第三の選択信号ＳＩ１３に対応する複数の組み合わせの情報Ｉ１，Ｉ２を選択する入力を受け付けたことになり、該複数の組み合わせに含まれる全ての周波数特性補正情報Ｉ１を周波数特性補正情報記憶領域Ｒ２から読み出す（Ｓ４２６）。
【００５７】
次に、マイコン１１０は、選択された組み合わせの周波数特性補正情報Ｉ１で表される補正量（補正係数ｋ）を平均する（Ｓ４２８）。例えば、選択された組み合わせがｍ（ｍは２以上の整数）あり、各組み合わせの周波数特性補正情報Ｉ１について中心周波数fi（Hz）毎に補正係数kimがある場合、中心周波数fi毎にｍ個のkimを平均して補正係数kiを算出する。さらに、マイコン１１０は、Ｓ２３２と同様にして、平均した補正量に対応する設定値をＤＳＰの周波数特性補正部１４０へ出力し、該周波数特性補正部１４０に出力音声ＳＡ１の周波数特性ＣＨ３を補正させる（Ｓ４３０）。Ｓ４３０では、音声特性を変更した旨のＯＳＤ表示を行ってもよい。このように、本ＴＶ１は、複数の視聴位置に合わせて出力音声の周波数特性を補正することができるので、ユーザの視聴場所における音声特性をさらに向上させることができ、便利である。
【００５８】
さらに、マイコン１１０は、第三の選択信号ＳＩ１３に対応する各出力タイミング調整情報Ｉ２を出力タイミング調整情報記憶領域Ｒ３から読み出す（Ｓ４３２）。次に、マイコン１１０は、選択された組み合わせの出力タイミング調整情報Ｉ２で表される調整量（t2−t1）を平均する（Ｓ４３４）。例えば、選択された組み合わせがｍ（ｍは２以上の整数）あり、各組み合わせの出力タイミング調整情報Ｉ２について調整量（t2−t1）がある場合、ｍ個の調整量（t2−t1）を平均して平均調整量Avgt2-t1を算出する。さらに、マイコン１１０は、Ｓ２４０と同様にして、平均調整量Avgt2-t1に従って、各スピーカ１３７，１３８からの音声出力のタイミングを調整する（Ｓ４３６）。Ｓ４３６では、音声出力のタイミングを変更した旨のＯＳＤ表示を行ってもよい。
そして、本体１０及びリモコン装置２０は、複数ポジション選択処理を終了する。このように、本ＴＶ１は、複数の視聴位置に合わせて各スピーカからの音声の到達時刻の差を少なくすることができるので、ユーザの視聴場所における音声特性をさらに向上させることができ、便利である。
【００５９】
以上説明したように、本ＴＶ１は、テレビジョン本体１０が設置された環境とユーザの視聴位置に合わせて音声の再生特性を自動的に補正する。ここで、周波数特性検出手段２２の運ばれた位置における基準音声ＳＡ２の周波数特性ＣＨ１を表す周波数特性信号ＳＩ２が本体１０へ送信され、本体１０で音声の周波数特性が所定の周波数特性ＣＨ２に近づくように音声出力手段１３からの出力音声ＳＡ１の周波数特性ＣＨ３が補正される。
以上より、本体１０の外部では、周波数特性検出手段２２の運ばれた位置における基準音声ＳＡ２の周波数特性ＣＨ１を所定の周波数特性ＣＨ２に近づける処理を行う必要が無い。従って、本実施形態によれば、映像表示手段１２と音声出力手段１３とを有する本体１０を備える表示装置１において、簡易な構成で視聴者の居場所における音声特性を向上させることができる。
【００６０】
（４）変形例：
本発明は、種々の変形例が考えられる。
例えば、表示装置は、液晶テレビジョンの他、プラズマテレビジョンといった薄型表示装置、受像管表示装置、記録再生装置が一体化されたテレビジョン、等のディスプレイでもよい。前記記録再生装置には、ハードディスク記録再生装置、ＤＶＤ（Digital Versatile Disk）記録再生装置、ビデオデッキ、等が含まれる。
表示装置本体及びリモコン装置は、遠赤外線信号、近赤外線信号、可視光線信号、有線信号、等により信号を送受信してもよい。
マイクロホン及び周波数特性検出回路は、リモコン装置とは別に表示装置本体の外部において持ち運び可能に設けられてもよい。
周波数特性検出回路は、各帯域の音圧レベルを高速に切り替えて検出可能であれば、バンドパスフィルタからの帯域毎の音声信号を切替スイッチで切り替え、共通の整流回路及びＡＤＣで帯域毎の音圧レベルを検出してもよい。
音声信号の周波数特性を補正する周波数特性補正部は、ＤＳＰに設けられる以外にも、マイコン等、ＤＳＰ以外に設けられてもよい。
【００６１】
上述した処理の各ステップの順番は、適宜、変更可能である。例えば、Ｓ２０８〜Ｓ２１０の処理をＳ２０４の前に行い、Ｓ２３４〜Ｓ２４０の処理をＳ２２６の前に行うことが可能である。
また、図８，１０，１１の処理を行わず、図９のＳ２０４〜Ｓ２０６，Ｓ２２６〜Ｓ２３２の処理のみを行ってもよい。このような処理を行う表示装置も、簡易な構成でユーザの視聴場所における音声特性を向上させる効果が得られる。
【００６２】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６３】
１…表示装置、
１０…本体、
１１…キャビネット、１１ａ…前面、１１ｂ…開口、
１２…映像表示手段、１３…音声出力手段、１４…制御手段、
１５…本体側送受信装置（受信手段）、１６…不揮発性半導体メモリ、
２０…リモートコントロール装置、
２１…リモコン制御手段、２２…周波数特性検出手段、
２３…リモコン側送受信装置（送信手段）、２４…操作ボタン（操作入力手段）、
１３１…デジタルシグナルプロセッサ、
１３３，１３４…遅延回路、１３７，１３８…スピーカ、１４０…周波数特性補正部、
２２１…マイクロホン、２２２…周波数特性検出回路。
【図１】
2010245986.tif 000003
【図２】
2010245986.tif 000004
【図３】
2010245986.tif 000005
【図４】
2010245986.tif 000006
【図５】
2010245986.tif 000007
【図６】
2010245986.tif 000008
【図７】
2010245986.tif 000009
【図８】
2010245986.tif 000010
【図９】
2010245986.tif 000011
【図１０】
2010245986.tif 000012
【図１１】
2010245986.tif 000013
【図１２】
2010245986.tif 000014
【図１３】
2010245986.tif 000015
【図１４】
2010245986.tif 000016
【図１５】
2010245986.tif 000017